(57)【特許請求の範囲】
【請求項１】
車体上にタンクを搭載し、前記タンクにはタンク内の液体を圧送しうるポンプを設け、前記ポンプには散布手段を接続してポンプにより圧送された液体を散布手段から散布するようにした液体散布車において、前記ポンプにはポンプ内に残留した液体を排出しうる排液口を設け、前記排液口には、駆動手段の駆動にて排液口を開閉しうる自動開閉弁を設け、前記駆動手段には、外気温等の所定温度を検知すると駆動手段を駆動させて自動開閉弁を開放しうる温度検知手段を設けるとともに、自動開閉弁が開いたことを検知して作動するタイマを設け、前記タイマにて所定時間経過すると、自動開閉弁を閉鎖するようにしたことを特徴とする液体散布車におけるポンプの安全装置。
【請求項２】
前記駆動手段は、液体散布車のキースイッチに接続され、前記キースイッチをＯＦＦにしたときにのみ、駆動手段を駆動可能な状態としたことを特徴とする液体散布車におけるポンプの安全装置。
【発明の詳細な説明】
【０００１】
【発明の属する技術分野】
本発明は走行路面に水や洗浄液等の液体を散布して走行路面等を清掃したり、街路樹に水を散布する液体散布車に関するものである。
【０００２】
【従来の技術】
従来の液体散布車は、車体上に搭載されたタンク下部にポンプを接続し、前記ポンプには吐出管を介して車体後方に配設された散布ノズルを接続してあり、前記ポンプを駆動することによりタンク内の液体を散布ノズルから走行路面等に散布するようにしてある。
【０００３】
ところで前記ポンプには排液口を設けてあり、散布作業終了後に前記排液口に接続された手動開閉弁を開くことによりポンプ内に残留する液体を排出し、ポンプ内の液体が凍結してポンプが破損するのを防止するようにしてある。
【０００４】
【発明が解決しようとする課題】
ところが、散布作業終了後の排液作業を忘れる場合があり、その場合には夜間になって外気温が低下することにより、ポンプ内に残留した液体は凍結して体積が膨張することからポンプが破損するという問題がある。
そこで本発明は外気温が低下するとポンプ内に残留している液体の排液作業を自動的に行うようにしてポンプ内の液体が凍結してポンプが破損するのを確実に防止できるようにするものである。
【０００５】
【課題を解決するための手段】
本発明の請求項１では、車体上にタンクを搭載し、前記タンクにはタンク内の液体を圧送しうるポンプを設け、前記ポンプには散布手段を接続してポンプにより圧送された液体を散布手段から散布するようにした液体散布車において、前記ポンプにはポンプ内に残留した液体を排出しうる排液口を設け、前記排液口には、駆動手段の駆動にて排液口を開閉しうる自動開閉弁を設け、前記駆動手段には、外気温等の所定温度を検知すると駆動手段を駆動させて自動開閉弁を開放しうる温度検知手段を設けるとともに、自動開閉弁が開いたことを検知して作動するタイマを設け、前記タイマにて所定時間経過すると、自動開閉弁を閉鎖するようにしたことを特徴とするものである。
請求項２では、前記駆動手段は、液体散布車のキースイッチに接続され、前記キースイッチをＯＦＦにしたときにのみ、駆動手段を駆動可能な状態としたことを特徴とするものである。
【０００６】
【発明の実施の形態】
以下、本発明の実施の形態を図面に基づいて説明する。
図１及び図２において、１は走行路面に液体を散布して清掃作業を行うための液体散布車で、該液体散布車１は車体２上に液体を収容するタンク３を搭載してある。
【０００７】
前記タンク３の側面下部にはタンク３内に収容された液体を圧送するポンプ４を吸引管５を介して設けてあり、前記ポンプ４にはタンク３側方にて車体２の前後方向に延びる吐出管６の一端を接続し、前記吐出管６の他端には車体２後部に車幅方向に延びる散布管７を接続してある。
前記散布管７には散布手段である複数の散布ノズル８を設けてあり、前記ポンプ４を駆動することによりタンク３内の液体を吐出管６、散布管７を介して散布ノズル８から走行路面に散布するようにしてある。
【０００８】
前記ポンプ４は図３に示す如くポンプケース９内に一対のロータ１０を設けてあり、前記ポンプケース９は前記ロータ１０を介して吸引室１１と吐出室１２とを形成してある。前記吸引室１１の側面には前記吸引管５に接続される吸引口１３を形成し、また前記吐出室１２の上面には前記吐出管６に接続される吐出口１４を形成してあり、前記ロータ１０を回転させることにより吸引口１３から吸引された液体を吐出口１４から吐出管６に圧送するようになっている。
【０００９】
前記ポンプケース９の下部にはリリーフ弁１５を設けてあり、前記吐出管６内の液体が詰まった際に、吐出室１２内が高圧になると前記リリーフ弁１５が開いて前記吐出室１２内の液体を吸引室１１へ流出させることにより、吐出室１２の圧力が異常高圧にならないようにしてポンプ４の損傷を防止するようにしてある。
【００１０】
前記ポンプ４には、散布作業終了後、ポンプ４内に残留した液体を自動的に排出して液体の凍結によるポンプケース９の破損を防止するための安全装置１６を設けてある。
以下、前記安全装置１６について説明すると、前記ポンプケース９吐出室１２の側面下部には排液口１７を設け、前記排液口１７には排液管１８及びＴ字型の分岐管１９を介して手動開閉弁２０と、駆動手段であるモータ２１の駆動にて開閉されうる自動開閉弁２２とを接続してある。
【００１１】
前記モータ２１は液体散布車１のキースイッチ２３と、外気温を検知しうる温度検知手段である温度センサ２４とに接続されており、前記キースイッチ２３がＯＦＦであって、かつ前記温度センサ２４が外気温を検出し、所定温度すなわち液体が凍結する直前の温度まで低下したことを検知すると、前記モータ２１が駆動して自動開閉弁２２が開くようになっている。
【００１２】
前記モータ２１には自動開閉弁２２が開いたことを検知して作動するタイマ２５を接続してあり、前記タイマ２５にて自動開閉弁２２が開いた後、所定時間経過するとモータ２１を駆動させて自動開閉弁２２を閉鎖するようにしてある。
尚、本実施の形態では手動開閉弁を設けてあるが、自動開閉弁のみにしても同様の作用効果を有するものである。
【００１３】
また本実施の形態では自動開閉弁を温度センサ、キースイッチ及びタイマとに接続してあるが、少なくとも温度センサとタイマとを設け、ポンプ内に残留する液体を排出して液体の凍結によるポンプの破損を防止するとともに、自動開閉弁の開放後に自動的に自動開閉弁を閉鎖できるようにして次回散布作業時にポンプケース内に吸引された液体が排液口から外部に洩れるのを防止するいう効果が達成されれば良い。  また本実施の形態では温度検知手段にて外気温を検知するようにしてあるが、ポンプケースの温度またはポンプケース内の液体温度を検知するようにしても同様の作業効果を有するものである。
【００１４】
また本実施の形態では走行路面を清掃する液体散布車に安全装置を設けてあるが、街路樹に散水する液体散布車に安全装置を設けても同様の作業効果を有するものである。
さらに本発明は、本実施の形態に限定されるものではなく、ポンプ、散布手段の具体的構造については、発明の要旨の範囲内で種々の応用、変形を加えることは可能である。
【００１５】
本発明は前記の如き構成で、次に作用について説明する。
まず、走行路面に液体を散布する際は、ポンプ４を駆動させてタンク３内に収容された液体を吐出管６、散布管７を介して散布ノズル８から走行路面に液体を散布する。
その際、キースイッチ２３はＯＮの状態にあるため、仮に温度センサ２４が所定温度を検知しても自動開閉弁２２は閉鎖状態に保持されることからポンプケース９内の液体が排液口１７から排出されることはない。
【００１６】
散布作業が終了すると、ポンプ４を停止させて液体の供給を停止させ、手動開閉弁２０を開いてポンプケース９内に残留した液体を外部に排出する。
これによりポンプケース９内に液体が残留することがないので、液体の凍結によるポンプケース９の破損を防止することができる。
次にポンプケース９内の液体を排出する排液作業を忘れた場合について説明する。
【００１７】
作業終了後、キースイッチ２３をＯＦＦにするとモータ２１が駆動可能な状態となる。その後、夜間になり外気温が低下して所定温度に達すると、温度センサ２４がその温度を検知してモータ２１を駆動させて自動開閉弁２２が開く。するとポンプケース９内の液体は排液口１７から排液管１８を介して外部に排出される。そしてタイマ２５にて自動開閉弁２２が開いた後、所定時間が経過すると自動開閉弁２２は閉鎖される。
【００１８】
これにより散布作業終了後に排液作業を忘れても、自動開閉弁２２が自動的に開いてポンプケース９内に残留した液体が排出されるため、液体の凍結によるポンプケース９の破損を確実に防止することができる。
またタイマ２５にて所定時間経過後、自動開閉弁２２を閉鎖するようにしたので、次回散布作業時に、ポンプケース９内に吸引された液体が排液口１７から外部に洩れるのを防止することができる。
【００１９】
【発明の効果】
以上の如く本発明の請求項１では、タンク内の液体を圧送するポンプに排液口を設け、前記排液口に駆動手段の駆動にて排液口を開放しうる自動開閉弁を設け、外気温等を検知しうる温度検知手段にて所定温度を検知すると、駆動手段を駆動させ自動開閉弁を開いてポンプ内に残留した液体を排出するようにしたので、ポンプ内の液体の排出を忘れたとしても、液体の凍結によるポンプの破損を確実に防止することができる。また、自動開閉弁が開いた後、タイマにて所定時間が経過すると自動開閉弁を自動的に閉鎖するようにしたので、次回散布作業時に、ポンプ内に吸引された液体が排液口から外部に洩れるのを防止することができる。
請求項２では、液体散布車のキースイッチをＯＦＦにしたときにのみ、駆動手段を駆動可能な状態としたので、散布手段から液体を散布する際、温度検知手段が所定温度を検知してもキースイッチはＯＮの状態にあるため、自動開閉弁は閉鎖状態に保持されることからポンプ内の液体が排液口から排出されることがない。
【図面の簡単な説明】
【図１】本発明の液体散布車を示す全体側面図である。
【図２】図１のＡ−Ａ図である。
【図３】図２のＢ−Ｂ拡大断面図である。
【符号の説明】
１  液体散布車
２  車体
３  タンク
４  ポンプ
８  散布ノズル（散布手段）
１６  安全装置
１７  排液口
２１  モータ（駆動手段）
２２  自動開閉弁
２４  温度センサ（温度検知手段）
【図１】
0003740277.tif 000002
【図２】
0003740277.tif 000003
【図３】
0003740277.tif 000004